(57)【要約】  空気調和機は、送風装置（１）と熱交換装置（２）とを備える。送風装置（１）は、遠心ファン（１１）と、吸入口（１３ａ）と吐出口（１３ｂ）とが設けられた第１筐体（１３）と、を有する。熱交換装置（２）は、長尺のヒータエレメント（２１）と、導入口（２２ａ）と排出口（２２ｂ）とが設けられた第２筐体（２２）と、を有する。第２筐体（２２）は、導入口（２２ａ）から内部に導入される空気の流れを、ヒータエレメント（２１）の長手方向に広げるよう構成されている。
2017090671.tif 000002
【特許請求の範囲】
【請求項１】
遠心ファンと、前記遠心ファンを収納し且つ前記遠心ファンの回転軸方向において前記遠心ファンに対向する位置に吸入口が設けられるとともに、周壁における前記遠心ファンの前記回転軸に直交する方向において前記遠心ファンに対向する位置に吐出口が設けられた第１筐体と、を有する送風装置と、
熱交換要素と、前記熱交換要素を収納し、前記遠心ファンの前記吐出口から吐き出される空気を内部に導入するための導入口と内部に導入され前記熱交換要素により熱交換された空気を外部へ排出するための排出口とが設けられた第２筐体と、を有する熱交換装置と、を備え、
前記第２筐体は、前記導入口から内部に導入される空気の流れを、前記熱交換要素の長手方向に広げるよう構成されている、
空気調和機。
【請求項２】
前記排出口は、前記熱交換要素の長手方向に直交する方向から見たときに、前記導入口に対して前記熱交換要素の長手方向にずれた位置に設けられている、
請求項１に記載の空気調和機。
【請求項３】
前記送風装置は、前記第１筐体における前記回転軸に沿った一方向側に配置され前記遠心ファンを駆動するモータを更に備え、
前記熱交換要素および前記第２筐体それぞれの少なくとも一部は、前記回転軸方向において前記遠心ファンよりも前記モータ側に張り出している、
請求項１または２に記載の空気調和機。
【請求項４】
前記熱交換装置は、前記第２筐体の前記導入口を覆う多孔部材を更に有する、
請求項１から３のいずれか１項に記載の空気調和機。
【請求項５】
前記熱交換装置は、前記第２筐体の前記導入口に導入される空気の流れを、前記熱交換要素の長手方向に向かって傾ける風向板を更に有する、
請求項１から４のいずれか１項に記載の空気調和機。
【発明の詳細な説明】
【技術分野】
【０００１】
本発明は、空気調和機に関する。
【背景技術】
【０００２】
遠心ファンを有する送風装置と、熱交換要素を有し送風装置から吐出された空気を暖めたり冷却したりする熱交換装置と、を備える空気調和機が提案されている（特許文献１参照）。この種の空気調和機では、熱交換装置の熱交換要素が、送風装置から吐出される空気の大部分が流れる領域内に収まるように配置されるのが一般的である。【０００３】
この種の空気調和機では、空気と熱交換要素との接触面積を増大させて熱交換装置での熱交換の効率を高めるために、送風装置から吐出される空気の大部分が流れる領域内において、熱交換要素の数を増加したり、熱交換要素の形状を上記領域内で蛇行する形状にしたりすることが考えられる。
【先行技術文献】
【特許文献】
【０００４】
【特許文献１】特開２００２−１８０９９５号公報
【発明の概要】
【発明が解決しようとする課題】
【０００５】
しかしながら、この場合、熱交換装置における風路抵抗が大きくなり空気調和機から送出される空気の流速が低下してしまい、空調対象空間の効率的な空気調和が実現できない虞がある。また、送風装置から吐出される空気の大部分が流れる領域内において、熱交換の効率を高めるために熱交換要素の数を増加させると、熱交換要素の数が増加した分だけ空気調和機が大型化してしまう虞がある。【０００６】
本発明は、上記事由に鑑みてなされたものであり、熱交換効率が高く、小型の空気調和機を提供することを目的とする。
【課題を解決するための手段】
【０００７】
上記目的を達成するために、本発明に係る空気調和機は、
遠心ファンと、前記遠心ファンを収納し且つ前記遠心ファンの回転軸方向において前記遠心ファンに対向する位置に吸入口が設けられるとともに、周壁における前記遠心ファンの前記回転軸に直交する方向において前記遠心ファンに対向する位置に吐出口が設けられた第１筐体と、を有する送風装置と、
熱交換要素と、前記熱交換要素を収納し、前記遠心ファンの前記吐出口から吐き出される空気を内部に導入するための導入口と内部に導入され前記熱交換要素により熱交換された空気を外部へ排出するための排出口とが設けられた第２筐体と、を有する熱交換装置と、を備え、
前記第２筐体は、前記導入口から内部に導入される空気の流れを、前記熱交換要素の長手方向に広げるよう構成されている。
【発明の効果】
【０００８】
本発明によれば、第２筐体が、導入口から内部に導入される空気の流れを、熱交換要素の長手方向に広げるよう構成されている。これにより、熱交換要素の長手方向において、熱交換要素における導入口から導入される空気が接触する部位の長さを長くすることができるので、熱交換装置での熱交換の効率を高めつつ、熱交換装置における風路抵抗の増大を防止できる。従って、空調対象空間の効率的な空気調和を図ることができる。また、熱交換要素の数を増やすことなく熱交換装置での熱交換の効率を高めることができるので、熱交換効率が高く、小型の空気調和機を実現できる。
【図面の簡単な説明】
【０００９】
【図１Ａ】本発明の実施の形態１に係る空気調和機の断面図
【図１Ｂ】実施の形態１に係る空気調和機の側面図
【図２Ａ】比較例に係る空気調和機の断面図
【図２Ｂ】比較例に係る空気調和機の側面図
【図３】本発明の実施の形態２に係る空気調和機の断面図
【図４】本発明の実施の形態３に係る空気調和機の断面図
【図５Ａ】本発明の変形例に係る空気調和機の断面図
【図５Ｂ】図５ＡのＡ−Ａ’線で一部破断した側面図
【図６】本発明の変形例に係る空気調和機の一部破断した側面図
【発明を実施するための形態】
【００１０】
以下、本発明に係る空気調和機の実施の形態を、図面を参照しながら詳細に説明する。
【００１１】
（実施の形態１）
本実施の形態に係る空気調和機は、鉄道車両に搭載される。この空気調和機は、図１Ａおよび図１Ｂに示すように、送風装置１と熱交換装置２とを備える。送風装置１は、遠心ファン１１と遠心ファン１１を収納する第１筐体（第１筐体）１３とシャフト１４と遠心ファン１１を駆動するモータ１５とを有する。
【００１２】
遠心ファン１１は、図１Ａの矢印ＡＲ１に示すように、回転軸Ｊ１周りに回転することにより、遠心ファン１１の回転軸Ｊ１方向における片側から吸い込んだ空気を、図１Ａの矢印ＡＲ２に示すように、回転軸Ｊ１に直交する方向へ吐出する。遠心ファン１１は、シャフト１４を介してモータ１５に連結されている。なお、以下において、適宜、遠心ファン１１の回転軸Ｊ１方向をＺ軸方向、回転軸Ｊ１方向に直交し且つ送風装置１と熱交換装置２との並びに沿った方向をＸ軸方向、Ｚ軸方向とＸ軸方向とに直交する方向をＹ軸方向として説明する。
【００１３】
第１筐体１３は、扁平な箱状であり、外形が同じでありＺ軸方向において互いに対向する主壁１３ｃ、１３ｄと、主壁１３ｃ、１３ｄの間の領域を囲む側壁１３ｅとから構成される。遠心ファン１１は、その回転軸Ｊ１が第１筐体１３の厚さ方向に沿った状態で第１筐体１３の内側に配置されている。第１筐体１３の主壁１３ｃの遠心ファン１１に対向する位置に吸入口１３ａが設けられている。また、第１筐体１３の側壁１３ｅの一部に吐出口１３ｂが設けられている。主壁１３ｄには、シャフト１４を挿通させるための孔１３ｆが設けられている。
【００１４】
モータ１５は、第１筐体１３に対して回転軸Ｊ１に沿った一方向側に配置されている。
【００１５】
熱交換装置２は、図１Ｂに示すように、１２個の熱交換要素であるヒータエレメント２１とヒータエレメント２１を収納する第２筐体２２とを有する。ヒータエレメント２１は、抵抗線を用いた発熱体から構成されている。ヒータエレメント２１は、長尺であり、その長手方向における両端部に設けられた接続部２１ａを介して外部から電力供給を受ける。このヒータエレメント２１は、その長手方向が遠心ファン１１の回転軸Ｊ１と平行になるように配置されている。そして、ヒータエレメント２１の一部は、送風装置１単体の場合に第１筐体１３の吐出口１３ｂから吐出される空気の大部分が流れると想定される領域Ａ１の外側に配置されている。この領域Ａ１は、遠心ファン１１の回転軸Ｊ１方向（Ｚ軸方向）における第１筐体１３の吐出口１３ｂの端縁を含み、遠心ファン１１の回転軸Ｊ１に直交する２つの仮想面ＰＬ１、ＰＬ２で挟まれた領域に相当する。また、ヒータエレメント２１の一部は、Ｚ軸方向において遠心ファン１１よりもモータ１５側に張り出している。
【００１６】
第２筐体２２は、扁平な直方体状であり、Ｘ軸方向において互いに対向する主壁２２ｃ、２２ｄと、Ｚ軸方向において互いに対向する一対の側壁２２ｅと、Ｙ軸方向において互いに対向する一対の側壁２２ｈとから構成される。２つの主壁２２ｃ、２２ｄのうち送風装置１側に配置される主壁２２ｃには、送風装置１の吐出口１３ｂから吐き出される空気を第２筐体２２の内部に導入するための導入口２２ａが設けられている。また、２つの主壁２２ｃ、２２ｄのうち送風装置１側とは反対側の主壁２２ｄには、第２筐体２２の内部に導入されヒータエレメント２１により熱交換された空気を外部へ排出するための排出口２２ｂが設けられている。また、第２筐体２２の一部は、Ｚ軸方向において遠心ファン１１よりもモータ１５側に張り出している。
【００１７】
導入口２２ａは、主壁２２ｃにおける第２筐体２２の長手方向の一端部に設けられ、排出口２２ｂは、主壁２２ｄにおける第２筐体２２の長手方向の他端部に設けられている。即ち、排出口２２ｂは、ヒータエレメント２１の長手方向に直交する方向から見たときに、導入口２２ａに対してヒータエレメント２１の長手方向にずれた位置に設けられている。これにより、導入口２２ａから導入される空気は、図１Ａの矢印ＡＲ３に示すように、ヒータエレメント２１の長手方向に沿って領域Ａ１の外側に向かって流れて、図１Ａの矢印ＡＲ４に示すように、排出口２２ｂから外部へ排出される。
【００１８】
主壁２２ｃにおける、その長手方向の導入口２２ａ側とは反対側の端部には、導入口２２ａから遠ざかるほど主壁２２ｄ側に近づくように傾斜した傾斜部２２ｆが設けられている。また、主壁２２ｄにおける、その長手方向の排出口２２ｂ側とは反対側の端部には、排出口２２ｂから遠ざかるほど主壁２２ｃ側に近づくように傾斜した傾斜部２２ｇが設けられている。これにより、導入口２２ａから第２筐体２２内を直進する方向へ流れる空気の一部は、傾斜部２２ｇに当たって排出口２２ｂへ導かれる。また、導入口２２ａから第２筐体２２内をその導入口２２ａ側とは反対側の端部に向かう方向へ流れる空気の一部は、傾斜部２２ｆに当たって排出口２２ｂへ導かれる。
【００１９】
このように、第２筐体２２では、排出口２２ｂが、導入口２２ａに対してヒータエレメント２１の長手方向にずれた位置に設けられるとともに、傾斜部２２ｆ、２２ｇが主壁２２ｃ、２２ｄに設けられている。これにより、導入口２２ａから導入される空気は、第２筐体２２の内部全体に広がって流れ、各ヒータエレメント２１の全体に接触して熱交換されてから排出口２２ｂから排出される。
【００２０】
また、ヒータエレメント２１および第２筐体２２それぞれの一部は、回転軸Ｊ１方向において遠心ファン１１よりもモータ１５側に張り出している。
【００２１】
次に、本実施の形態に係る空気調和機の特徴について比較例と比較しながら説明する。比較例に係る空気調和機では、図２Ａおよび図２Ｂに示すように、１２個の棒状のヒータエレメント１０２１は、送風装置１単体の場合に第１筐体１３の吐出口１３ｂから吐出される空気の大部分が流れると想定される領域Ａ１０の内側に収まるように配置されている。より詳細には、１２個のヒータエレメント１０２１は、それぞれ長手方向が遠心ファン１１の回転軸Ｊ１に直交する方向に平行な状態で、遠心ファン１１の回転軸Ｊ１方向（Ｚ軸方向）に２個、遠心ファン１１の回転軸Ｊ１およびヒータエレメント１０２１の長手方向に直交する方向（Ｘ軸方向）に６個並ぶ形で配置されている。領域Ａ１０は、遠心ファン１１の回転軸Ｊ１方向（Ｚ軸方向）における第１筐体１３の吐出口１３ｂの端縁を含み、遠心ファン１１の回転軸Ｊ１に直交する２つの仮想面ＰＬ１１、ＰＬ１２で挟まれた領域に相当する。
【００２２】
第２筐体１０２２のＸ軸方向における長さＬ１０は、Ｘ軸方向に並んだ６個のヒータエレメント１０２１を収納できる程度の長さに設定されている。
【００２３】
一方、本実施の形態に係る空気調和機では、図１Ａおよび図１Ｂに示すように、１２個のヒータエレメント２１は、それぞれ長手方向が遠心ファン１１の回転軸Ｊ１に平行な状態で、Ｙ軸方向に６個、Ｘ軸方向に２個並ぶ形で配置されている。そして、第２筐体２２のＸ軸方向における長さＬ１は、Ｘ軸方向に並んだ２個のヒータエレメント２１を収納できる程度の長さに設定されている。即ち、第２筐体２２のＸ軸方向における長さＬ１は、図２Ａおよび図２Ｂに示す、比較例に係る第２筐体１０２２のＸ軸方向の長さＬ１０に比べて短い。従って、本実施の形態に係る空気調和機は、比較例に係る空気調和機に比べて、第２筐体２２のＸ軸方向における長さが短い分、その全体のＸ軸方向の長さを短くすることができ、ひいては比較例に係る空気調和機に比べて小型化することができる。
【００２４】
以上説明したように、本実施の形態に係る空気調和機では、第２筐体２２が、導入口２２ａから内部に導入される空気の流れを、ヒータエレメント２１の長手方向に広げるよう構成されている。これにより、ヒータエレメント２１の長手方向において、ヒータエレメント２１における導入口２２ａから導入される空気が接触する部位の長さを長くすることができるので、熱交換装置２での熱交換の効率を高めることができる。このように、ヒータエレメント２１の数を増やすことなく熱交換装置２での熱交換の効率を高めることができるので、熱交換装置２における風路抵抗の増大を防止して空気調和機から送出される空気の流速の低下を抑制できる。従って、空調対象空間の効率的な空気調和を図ることができる。また、ヒータエレメント２１の数を増やすことなく熱交換装置２での熱交換の効率を高めることができるので、熱交換効率が高く、小型の空気調和機を実現できる。
【００２５】
また、本実施の形態に係る空気調和機では、排出口２２ｂが、ヒータエレメント２１の長手方向に直交する方向から見たときに、導入口２２ａに対してヒータエレメント２１の長手方向にずれた位置に設けられている。これにより、比較的簡単な構成で導入口２２ａから内部に導入される空気の流れを、ヒータエレメント２１の長手方向に向けることができるので、第２筐体２２の構造の簡素化を図ることができる。
【００２６】
更に、本実施の形態に係る空気調和機では、ヒータエレメント２１および第２筐体２２それぞれの一部が、回転軸Ｊ１方向において遠心ファン１１よりもモータ１５側に張り出している。これにより、モータ１５、ヒータエレメント２１および第２筐体２２を比較的小さいスペースに密集させて配置することができるので、空気調和機全体の小型化を図ることができる。
【００２７】
（実施の形態２）
本実施の形態に係る空気調和機は、図３に示すように、熱交換装置２０２が、中央部に導入口２２２ａが設けられた第２筐体２２２と、第２筐体２２２の導入口２２２ａを覆う多孔部材２２３と、を有する点が実施の形態１と相違する。この熱交換装置２０２では、多孔部材２２３が存在することにより、導入口２２２ａから導入される空気の一部がヒータエレメント２１の長手方向に広がるように流れる。なお、図３において、実施の形態１と同様の構成については図１Ａおよび図１Ｂと同一の符号を付している。
【００２８】
第２筐体２２２は、扁平な直方体状であり、Ｘ軸方向において互いに対向する主壁２２２ｃ、２２２ｄと、Ｚ軸方向において互いに対向する一対の側壁２２２ｅと、Ｙ軸方向において互いに対向する一対の側壁２２２ｈとから構成される。導入口２２２ａは、送風装置１側に配置される主壁２２２ｃの中央部に設けられている。また、送風装置１側とは反対側の主壁２２２ｄには排出口２２２ｂが設けられている。
【００２９】
多孔部材２２３は、パンチングメタルや金属または樹脂で形成されたメッシュ部材から構成されている。
【００３０】
多孔部材２２３が存在することにより、送風装置１から第２筐体２２２の導入口２２２ａへ吐出される空気は、図３の矢印ＡＲ２３に示すように、領域Ａ１の外側へ広がるように流れる。この領域Ａ１は、実施の形態１で説明したように、送風装置１単体の場合に第１筐体１３の吐出口１３ｂから吐出される空気の大部分が流れると想定される領域である。ここで、送風装置１から第２筐体２２２の導入口２２２ａへ吐出される空気の一部は、ヒータエレメント２１の長手方向に広がるように流れる。そして、ヒータエレメント２１の長手方向に広がるように流れる空気は、ヒータエレメント２１の長手方向全体で熱交換されて、図３の矢印ＡＲ２４に示すように、排出口２２２ｂから第２筐体２２２の外部へ排出される。
【００３１】
本実施の形態に係る空気調和機は、多孔部材２２３が、第２筐体２２２の導入口２２２ａを覆っている。これにより、実施の形態１と同様に、ヒータエレメント２１の長手方向において、ヒータエレメント２１における導入口２２２ａから導入される空気が接触する部位の長さを長くすることができるので、熱交換装置２０２での熱交換の効率を高めることができる。
【００３２】
（実施の形態３）
本実施の形態に係る空気調和機は、図４に示すように、熱交換装置３０２が、実施の形態２で説明した第２筐体２２２と、第２筐体２２２の導入口２２２ａに導入される空気の流れをヒータエレメント２１の長手方向に向かって傾ける風向板３２３と、を有する点が実施の形態１と相違する。この熱交換装置３０２では、風向板３２３が存在することにより、導入口２２２ａから導入される空気の一部が、ヒータエレメント２１の長手方向に沿って広がるように流れる。なお、図４において、実施の形態１、実施の形態２と同様の構成については図１Ａ、図１Ｂ、図３と同一の符号を付している。
【００３３】
風向板３２３は、第２筐体２２２内部における導入口２２２ａ近傍に配置されている。この風向板３２３は、金属または樹脂から形成されている。
【００３４】
風向板３２３が存在することにより、送風装置１の吐出口１３ｂから第２筐体２２２の導入口２２２ａへ吐出される空気は、図４の矢印ＡＲ３３に示すように、領域Ａ１の外側へ広がるように流れる。ここで、送風装置１から第２筐体２２２の導入口２２２ａへ吐出される空気の一部は、ヒータエレメント２１の長手方向に広がるように流れる。そして、ヒータエレメント２１の長手方向に広がるように流れる空気は、ヒータエレメント２１の長手方向全体で熱交換されて、図４の矢印ＡＲ３４に示すように、排出口２２２ｂから第２筐体２２２の外部へ排出される。
【００３５】
本実施の形態に係る空気調和機は、風向板３２３が、第２筐体２２２の導入口２２２ａに導入される空気の流れをヒータエレメント２１の長手方向に向かって傾ける。これにより、実施の形態１と同様に、ヒータエレメント２１の長手方向において、ヒータエレメント２１における導入口２２２ａから導入される空気が接触する部位の長さを長くすることができるので、熱交換装置３０２での熱交換の効率を高めることができる。
【００３６】
［変形例］
以上、本発明の各実施の形態について説明したが、本発明は前述の各実施の形態によって限定されるものではない。図５Ａおよび図５Ｂに示すように、熱交換装置５０２において、第２筐体５２２の排出口５２２ｂが、第２筐体５２２の側壁２２ｈにおける領域Ａ１の外側の位置に設けられているものであってもよい。この場合、導入口２２ａから導入される空気は、図５Ａの矢印ＡＲ３に示すように、領域Ａ１の外側に向かって流れて、図５Ｂの矢印ＡＲ４に示すように、排出口５２２ｂから外部へ排出される。
【００３７】
本構成においても、実施の形態１と同様に、ヒータエレメント２１の長手方向において、ヒータエレメント２１における導入口２２ａから導入される空気が接触する部位の長さを長くすることができる。従って、熱交換装置５０２での熱交換の効率を高めることができる。
【００３８】
また、前述の各実施の形態では、各ヒータエレメント２１が遠心ファン１１の回転軸Ｊ１と平行になるように配置されている例について説明したが、ヒータエレメント２１の配置はこれに限定されない。図６に示すように、熱交換装置４０２の各ヒータエレメント４２１が、遠心ファン１１の回転軸Ｊ１に直交する方向に平行に配置されるものであってもよい。この場合、第２筐体４２２の排出口４２２ｂは、第２筐体４２２の導入口４２２ａとヒータエレメント２１を挟んで対向し、ヒータエレメント２１の長手方向に直交する方向から見たときに、導入口４２２ａに対してヒータエレメント２１の長手方向にずれた位置に設けられていればよい。
【００３９】
第２筐体４２２は、実施の形態１と同様に、扁平な直方体状であり、主壁４２２ｃ、４２２ｄとＺ軸方向で対向する一対の側壁４２２ｅと、Ｙ軸方向で対向する一対の側壁４２２ｈとから構成される。第２筐体４２２は、その長手方向が遠心ファン１１の回転軸Ｊ１に直交した状態で配置されている。導入口４２２ａは、主壁４２２ｃにおける第２筐体４２２の長手方向の一端部に設けられ、排出口４２２ｂは、主壁４２２ｄにおける第２筐体４２２の長手方向の他端部に設けられている。これにより、導入口４２２ａから導入される空気は、領域Ａ４の外側へ広がるように流れる。この領域Ａ４は、実施の形態１で説明したように、送風装置１単体の場合に第１筐体１３の吐出口１３ｂから吐出される空気の大部分が流れると想定される領域である。
【００４０】
これにより、導入口４２２ａから導入される空気は、図６の矢印ＡＲ４３に示すように、ヒータエレメント２１の長手方向に沿って領域Ａ４の外側に向かって流れて、図６の矢印ＡＲ４４に示すように、排出口４２２ｂから外部へ排出される。
【００４１】
また、主壁４２２ｃにおける、その長手方向の導入口４２２ａ側とは反対側の端部には、導入口４２２ａから遠ざかるほど主壁４２２ｄ側に近づくように傾斜した傾斜部４２２ｆが設けられている。また、主壁４２２ｄにおける、その長手方向の排出口４２２ｂ側とは反対側の端部には、排出口４２２ｂから遠ざかるほど主壁４２２ｃ側に近づくように傾斜した傾斜部４２２ｇが設けられている。これにより、実施の形態１と同様に、導入口４２２ａから第２筐体４２２内を直進する方向へ流れる空気の一部は、傾斜部４２２ｇに当たって排出口４２２ｂへ導かれる。また、導入口４２２ａから第２筐体４２２内をその導入口４２２ａ側とは反対側の端部に向かう方向へ流れる空気の一部は、傾斜部４２２ｆに当たって排出口４２２ｂへ導かれる。
【００４２】
本構成によっても、ヒータエレメント２１の長手方向において、ヒータエレメント２１における導入口４２２ａから導入される空気が接触する部位の長さを長くすることができる。従って、熱交換装置４０２での熱交換の効率を高めることができる。
【００４３】
前述の実施の形態１に係る熱交換装置２について、第２筐体２２の導入口２２ａが実施の形態２で説明した多孔部材で覆われた構成であってもよい。また、熱交換装置２について、第２筐体２２の導入口２２ａ近傍に実施の形態３で説明した風向板が設けられた構成であってもよい。
【００４４】
前述の各実施の形態では、熱交換装置２がヒータエレメント２１を備える例について説明したが、これに限定されず、熱交換装置２がヒータエレメント２１の代わりに冷媒が充填された冷媒管（図示せず）を備える構成であってもよい。この場合、熱交換装置２では、送風装置１から内部に導入される空気が冷媒管で冷却されて排出される。
【００４５】
前述の各実施の形態に係る送風装置１では、シャフト１４にモータ１５が直接接続されている例について説明したが、これに限定されるものではなく、シャフト１４が減速機のようなギア機構を介してモータ１５に接続されていてもよい。
【００４６】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【００４７】
本出願は、２０１５年１１月２４日に出願された、日本国特許出願特願２０１５−２２８９８３号に基づく。本明細書中に日本国特許出願特願２０１５−２２８９８３号の明細書、特許請求の範囲、図面全体を参照として取り込むものとする。
【産業上の利用可能性】
【００４８】
本発明は、鉄道車両に搭載される空気調和機に好適に利用することができる。
【符号の説明】
【００４９】
１  送風装置、２，２０２，３０２，４０２，５０２  熱交換装置、１１  遠心ファン、１３  第１筐体、１３ａ  吸入口、１３ｂ  吐出口、１３ｃ，１３ｄ，２２ｃ，２２ｄ，２２２ｃ，２２２ｄ，４２２ｃ，４２２ｄ  主壁、１３ｅ，２２ｅ，２２ｈ，２２２ｅ，２２２ｈ，４２２ｅ，４２２ｈ  側壁、１３ｆ  孔、１４  シャフト、１５  モータ、２１，４２１  ヒータエレメント、２１ａ  接続部、２２，２２２，３２２，４２２，５２２  第２筐体、２２ａ，２２２ａ，４２２ａ  導入口、２２ｂ，２２２ｂ，４２２ｂ，５２２ｂ  排出口、２２ｆ，２２ｇ，４２２ｆ，４２２ｇ  傾斜部、２２３  多孔部材、３２３  風向板、Ａ１，Ａ４  領域、Ｊ１  回転軸
【図１Ａ】
2017090671.tif 000003
【図１Ｂ】
2017090671.tif 000004
【図２Ａ】
2017090671.tif 000005
【図２Ｂ】
2017090671.tif 000006
【図３】
2017090671.tif 000007
【図４】
2017090671.tif 000008
【図５Ａ】
2017090671.tif 000009
【図５Ｂ】
2017090671.tif 000010
【図６】
2017090671.tif 000011
【国際調査報告】
2017090671.tif 000012
2017090671.tif 000013
2017090671.tif 000014
2017090671.tif 000015